(57)【要約】    【課題】  履物裏や足裏等に付随する粗い塵埃や土砂粒子又は多量の水並びに細かい塵埃や土砂粒子又は少量の水分の何れについても優れた除塵、水切り、水分吸収等の効果が発揮されるマットの提供。    【解決手段】  マット本体Ｎの各格子孔２０内の上下中間部に十字部２２を形成する。各格子孔２０内のうち十字部２２により区画された部分が上下連通して水や土粒子等が透過し得る透過部２６である。マット本体Ｎの上側部に凹部２８を多数分散形成する。凹部２８の上面には、縦格子板部１６と横格子板部１８と十字部２２の各中間高さ部により形成された透過部２６が多数満遍なく開口する。各凹部２８に、透水性及び通気性を有する基布Ｐａの上側に多数のパイルＰｂがほぼ起立状態で設けられたパイル部Ｐを配設する。【選択図】      図５
2008119295.tif 000002
【特許請求の範囲】
【請求項１】
マット本体の上側部に、パイル部が１又は２以上部分的に設けられてなるマットであって、
前記マット本体は、耐水性材料からなり、上下に連通して水や土粒子等が透過し得る透過部を多数有するものであり、
前記パイル部は、透水性及び通気性を有する基布の上側に多数のパイルが設けられてなるものであり、
前記マット本体は、前記パイル部の基布の下側を支持する基布支持部を有し、その基布支持部に前記透過部を有することにより、パイル部とそのパイル部の下側に位置するマット本体の双方にわたり上下方向に透水性及び通気性を有することを特徴とするマット。
【請求項２】
上記パイル部を複数分散状に有する請求項１記載のマット。
【請求項３】
上記パイル部を構成するパイルが吸水性繊維からなるものである請求項１又は２記載のマット。
【請求項４】
マット本体に、底部が基布支持部を構成する上方開口の凹部が１又は２以上部分的に設けられ、前記基布支持部上にパイル部の基布の下側が支持されている請求項１、２又は３記載のマット。
【請求項５】
上記凹部において基布支持部を構成する底部上に基布が支持されたパイル部の上部が、凹部の上端よりも上方に位置する請求項４記載のマット。
【請求項６】
上記凹部の内側部が上方に向かって外方に拡開しており、その凹部の基布支持部上に基布の下側が支持されているパイル部のうち外周縁部のパイルが外方に伏倒した場合に、そのパイルが凹部の内側部に留まり凹部よりも外方へ達しない請求項５記載のマット。
【請求項７】
マット本体が合成樹脂製である請求項１乃至６の何れかに記載のマット。
【発明の詳細な説明】
【技術分野】
【０００１】
本発明は、履物や足等の除塵、水切り、水分吸収等のための建物や浴室の出入り口等において使用されるマットに関する。
【背景技術】
【０００２】
カーペット式マットは一般には水分の除去に有効であるが、固形の土が表面に蓄積し易い。貫通した開口を有するプラスチックマットは、表面に土が蓄積することは生じにくいが、一般には、ブラシマットほど靴から土を除去するのに有効ではない。
【０００３】
この点に鑑み歩行者の靴や足から土、水分を除去する改良マットとして、特公平７−４７０１５号公報（特許文献１）に、「a.耐水性と耐摩耗性のある裏材（13）と、b.耐水性と耐摩耗性のある有孔要素（11,12,15,16）であって、その全厚さを貫通する多数の開口（12）を有し、前記裏材（13）の一方の表面に接合されている有孔要素と、c.多数の、耐水性と耐摩耗性のある剛毛（14）であって、それぞれが一端を前記裏材に接合され、かつ前記有孔要素が歩行者によって踏みつけられたときに前記有孔要素の前記開口を貫いて突出し、靴および足と接触することができるように前記開口内に配置されている剛毛（14）とを含むことを特徴とするマット（10）」が開示されている。
【０００４】
しかしながら、有孔要素と剛毛を組み合わせた特公平７−４７０１５号公報記載のマットは、細かい塵埃や土砂粒子又は少量の水分の除去には不十分な点があった。
【特許文献１】特公平７−４７０１５号公報
【発明の開示】
【発明が解決しようとする課題】
【０００５】
本発明は、従来技術に存した上記のような課題に鑑み行われたものであって、その目的とするところは、履物裏や足裏等に付随する粗い塵埃や土砂粒子又は多量の水並びに細かい塵埃や土砂粒子又は少量の水分の何れについても優れた除塵、水切り、水分吸収等の効果が発揮されるマットを提供することにある。
【課題を解決するための手段】
【０００６】
上記目的を達成する本発明のマットは、
マット本体の上側部に、パイル部が１又は２以上部分的に設けられてなるマットであって、
前記マット本体は、耐水性材料からなり、上下に連通して水や土粒子等が透過し得る透過部を多数有するものであり、
前記パイル部は、透水性及び通気性を有する基布の上側に多数のパイルが設けられてなるものであり、
前記マット本体は、前記パイル部の基布の下側を支持する基布支持部を有し、その基布支持部に前記透過部を有することにより、パイル部とそのパイル部の下側に位置するマット本体の双方にわたり上下方向に透水性及び通気性を有することを特徴とする。
【０００７】
マット本体の上側部には、パイル部と、パイル部が存在しない部分である非パイル部がある。
【０００８】
裏側部及びその付近に水分、塵埃、土砂粒子等が付随している履物又は足等でマット上を歩いたり踏んだりすると、前記水分、塵埃、土砂粒子等の相当部分は、履物等から離脱してマット本体の非パイル部に移行する。移行した水分、塵埃、土砂粒子等は、透過部又はその透過部を通じた下方に移動し得る。履物裏等に付随する粗い塵埃や土砂粒子又は多量の水は、非パイル部に移行し易く、更に、透過部を通じて下方に移動し易い。
【０００９】
非パイル部に移行し難い又は非パイル部に移行し切れない細かい塵埃や土砂粒子又は少量の水分は、マット本体上側部に部分的に設けられたパイル部に拭かれたり付着したり吸収されたりすることにより、そのパイル部に移行し得る。
【００１０】
パイル部は、基布の上側に多数のパイルが設けられてなるものであり、パイル部の基布は透水性及び通気性を有し、而も、その基布の下側を支持する基布支持部に透過部が開口するので、パイル部とそのパイル部の下側に位置するマット本体の双方にわたり上下方向に透水性及び通気性を有する。パイル部が拭いたり吸収したりすることにより保持した水分のうち保持し切れないものは、基布及び透過部を通じて下方へ排出されるので、パイル部の水分拭取り可能量や吸収可能量が多い。また、パイル部とそのパイル部の下側に位置するマット本体の双方にわたり上下方向に通気性を有するので、パイル部の乾燥性が向上し、水分吸収性を回復し易く、パイル部に雑菌が繁殖したり異臭が発生すること等も効果的に防がれる。
【００１１】
このように、マット本体の上側部における非パイル部とパイル部の双方が相まって、優れた除塵、水切り、水分吸収等の効果が発揮される。
【００１２】
本発明のマットは、上記パイル部を複数分散状に有するものとすることができる。
【００１３】
この場合、複数のパイル部を、マット本体の上側部に分散状に設けているので、除塵、水切り、水分吸収等の効果が、可及的にマット全体にわたり奏され得る。
【００１４】
また本発明のマットは、上記パイル部を構成するパイルが吸水性繊維からなるものとすることができる。この場合、水分吸収性に優れたものとなる。但し、パイルを構成する繊維は吸水性繊維に限るものではない。例えば、除塵性繊維、除電性繊維等を適宜組み合わせることができる。
【００１５】
また本発明のマットは、マット本体に、底部が基布支持部を構成する上方開口の凹部が１又は２以上部分的に設けられ、前記基布支持部上にパイル部の基布の下側が支持されているものとすることができる。
この場合、上記凹部において基布支持部を構成する底部上に基布が支持されたパイル部の上部が、凹部の上端よりも上方に位置するものとすることが望ましい。
このようにパイル部の上部が凹部の上端よりも上方に位置することにより、マット本体の上側部におけるパイル部以外の部分による、履物裏等に付随する粗い塵埃や土砂粒子又は多量の水等の除去効果と、パイル部による、履物裏等に付随する細かい塵埃や土砂粒子又は少量の水分等の除去効果が、何れも良好に発揮され得る。
【００１６】
またこのように凹部において基布支持部を構成する底部上に基布が支持されたパイル部の上部が、凹部よりも上方に位置する場合、凹部の内側部が上方に向かって外方に拡開しており、その凹部の基布支持部上に基布の下側が支持されているパイル部のうち外周縁部のパイルが外方に伏倒した場合に、そのパイルが凹部の内側部に留まり凹部よりも外方へ達しないものとすることが望ましい。
この場合、パイル部の上部が凹部よりも上方に位置するにもかかわらずパイルが凹部の外方へはみ出さないので、外観を良好に維持し得ると共にパイルの傷みを防ぐことができる。
【００１７】
また、本発明のマットは、マット本体が合成樹脂製であるものとすることができる。
【発明の効果】
【００１８】
本発明のマットによれば、履物裏や足裏等に付随する粗い塵埃や土砂粒子又は多量の水は、マット本体の非パイル部において除去され易く、非パイル部に移行し難い又は非パイル部に移行し切れない細かい塵埃や土砂粒子又は少量の水分は、マット本体上側部に部分的に設けられたパイル部において除去され得る。このように、マット本体の上側部における非パイル部とパイル部の双方が相まって、履物裏や足裏等に付随する粗い塵埃や土砂粒子又は多量の水並びに細かい塵埃や土砂粒子又は少量の水分の何れについても優れた除塵、水切り、水分吸収等の効果が発揮される。
【００１９】
而も、パイル部とそのパイル部の下側に位置するマット本体の双方にわたり上下方向に透水性及び通気性を有するので、パイル部の水分拭取り可能量や吸収可能量が多く、パイル部の乾燥性が向上し、水分吸収性を回復し易く、パイル部に雑菌が繁殖したり異臭が発生すること等も効果的に防がれる。
【発明を実施するための最良の形態】
【００２０】
本発明の実施の形態を、図面を参照しつつ説明する。
【００２１】
図面は本発明の実施の形態の一例としてのマットに関するものであって、図１は概略平面図、図２はマット本体の要部平面図、図３は図２におけるA−A線断面図、図４はマットの要部平面図、図５は、図４におけるB−B線断面図である。
【００２２】
マットＭは履物や足等の除塵、水切り、水分吸収等のための建物や浴室の出入り口等において使用されるものであって、合成樹脂製のマット本体Ｎとパイル部Ｐからなる。この例におけるマットＭは必要数連結可能であるが、必ずしも連結可能なものとすることを要しない。マット本体Ｎを構成する合成樹脂の例としては、例えば塩化ビニル樹脂(PVC)、エチレン酢酸ビニル共重合樹脂(EVA)、ポリエチレン(PE)等を挙げることができる。
【００２３】
マット本体Ｎは、耐水性及び耐磨耗性を有する合成樹脂を一体成形してなるものであり、正方形状の外枠部１０を備えた平面正方形状（これに限るものではない）をなし、外枠部１０の隣接する二辺に設けられた嵌合突部１２と他の隣接する二辺に設けられた嵌合ループ部１４が嵌合し合うことにより、必要に応じ、一方のマットＭにおける嵌合突部１２を有する辺と他方のマットＭにおける嵌合ループ部１４を有する辺を連結して使用し得る構成となっている。
【００２４】
マット本体Ｎにおける外枠部１０内は、それぞれ略波形状をなす多数の縦格子板部１６と多数の横格子板部１８が組み合わされたような形状の格子状をなす。縦格子板部１６と横格子板部１８により形成される各格子孔２０内の上下中間部には、外枠部１０の各辺に対し水平方向に４５度傾斜した十字部２２が形成され、その十字部２２の中央には、上向突部２２ａが形成されている。
【００２５】
マット本体Ｎの上部は、縦格子板部１６と横格子板部１８の上端縁及び上向突部２２ａにより、履物や足等を直接支持する。マット本体Ｎを載置面上に載置した状態において、マット本体Ｎのうち載置面上に支持されるのは、外枠部１０並びに各十字部２２の下端に形成された支持部２４である。縦格子板部１６と横格子板部１８により形成される各格子孔２０内のうち十字部２２により区画された部分が、それぞれ上下に連通して水や土粒子等が透過し得る透過部２６である。
【００２６】
マット本体Ｎの上側部には、正方形状の凹部２８が縦横に等間隔に多数分散した状態で上方に開口している。凹部２８の底部が構成する基布支持部２８ａの高さは、十字部２２よりやや低い高さである。従って、凹部２８の基布支持部２８ａには、縦格子板部１６と横格子板部１８と十字部２２の各中間高さ部分により形成された透過部２６が多数満遍なく開口している。このように、透過部はマット本体に多数満遍なく有することが望ましい。
【００２７】
なお、凹部２８及び凹部２８に設けられるパイル部Ｐの平面形状は、正方形に限らず円形、楕円形、正方形以外の多角形、その他の形状とすることができ、等間隔以外の分散状とすることや、帯状、環状等の連続状とすること等も可能である。
【００２８】
各凹部２８には、透水性及び通気性を有する基布Ｐａの上側に多数の吸水性繊維からなるパイルＰｂがほぼ起立状態で設けられた平面正方形状のパイル部Ｐが配設されている。パイル部Ｐは、基布Ｐａの下面と凹部２８の基布支持部２８ａのうち透過部２６以外の部分とが接着されて各凹部２８に固定されている。基布Ｐａは透水性及び通気性を有し、基布Ｐａの下側に透過部２６が多数満遍なく開口しているので、パイル部Ｐとそのパイル部Ｐの下側に位置する凹部２８の基布支持部２８ａの双方にわたり上下方向に透水性及び通気性を有する。
【００２９】
マット本体Ｎのうちパイル部Ｐの基布Ｐａを支持する部分である凹部２８の基布支持部２８ａの高さは、マット本体Ｎの他の部分に比し低く形成され、パイル部Ｐの高さは、凹部２８の上端（マット本体Ｎのうちパイル部Pが存在しない部分）よりもやや高く設定されている。なお、パイル部Ｐと凹部２８の上端の高さは、これに限るものではなく、例えば同等とすることもできる。
【００３０】
マット本体Ｎの上側部には、パイル部Ｐと、パイル部Ｐが存在しない部分である非パイル部Ｎａがある。マットＭ上面におけるパイル部Ｐと非パイル部Ｎａの面積比は、例えば１：４乃至４：１の範囲で選択することができる。好ましくは１：２乃至３：２程度である。
【００３１】
裏側部及びその付近に水分、塵埃、土砂粒子等が付随している履物又は足等でマットＭ上を歩いたり踏んだりすると、前記水分、塵埃、土砂粒子等の相当部分は、履物等から離脱してマット本体Ｎの非パイル部Ｎａに移行する。移行した水分、塵埃、土砂粒子等は、透過部２６又はその透過部２６を通じた下方に移動し得る。履物裏等に付随する粗い塵埃や土砂粒子又は多量の水は、非パイル部Ｎａに移行し易く、更に、透過部２６を通じて下方に移動し易い。
【００３２】
非パイル部Ｎａに移行し難い又は非パイル部Ｎａに移行し切れない細かい塵埃や土砂粒子又は少量の水分は、マット本体Ｎ上側部に部分的に設けられたパイル部Ｐに拭かれたり付着したり吸収されたりすることにより、そのパイル部Ｐに移行し得る。
【００３３】
パイル部Ｐは、基布Ｐａの上側に多数のパイルＰｂが設けられてなるものであり、パイル部Ｐの基布Ｐａは透水性及び通気性を有し、而も、その基布Ｐａの下側を支持する基布支持部２８ａに透過部２６が開口するので、パイル部Ｐとそのパイル部Ｐの下側に位置するマット本体Ｎの双方にわたり上下方向に透水性及び通気性を有する。パイル部Ｐが拭いたり吸収したりすることにより保持した水分のうち保持し切れないものは、基布Ｐａ及び透過部２６を通じて下方へ排出されるので、パイル部Ｐの水分拭取り可能量や吸収可能量が多い。また、パイル部Ｐとそのパイル部Ｐの下側に位置するマット本体Ｎの双方にわたり上下方向に通気性を有するので、パイル部Ｐの乾燥性が向上し、水分吸収性を回復し易く、パイル部Ｐに雑菌が繁殖したり異臭が発生すること等も効果的に防がれる。
【００３４】
また、パイル部Ｐの高さが凹部２８の上端よりもやや高いことにより、マット本体Ｎの上側部におけるパイル部Ｐ以外の部分による、履物裏等に付随する粗い塵埃や土砂粒子又は多量の水等の除去効果と、パイル部Ｐによる、履物裏等に付随する細かい塵埃や土砂粒子又は少量の水分等の除去効果が、何れも良好に発揮され得る。
【００３５】
このように、マット本体Ｎの上側部における非パイル部Ｎａと、マット本体Ｎの上側部に分散状に多数設けた吸水性のパイルＰｂからなるパイル部Ｐの双方が相まって、優れた除塵、水切り、水分吸収等の効果が発揮される。
なお、マット本体の要部端面図である図６に示すように、透過部２６の一部（図６における右端の透過部２６）は凹部２８内の底面と側面の双方にまたがって開口するものとすることもできる。
また、マット本体の要部端面図である図７に示すように、凹部２８内の側面に上部が開口し下方に連通する透過部３０を設けることもできる。
また、別のマットの要部端面図である図８に示すように、上記と同様のマットにおいて、凹部２８の内側部２８ｂが上方に向かって外方に拡開し、その凹部２８の基布支持部２８ａ上に基布Ｐａの下側が支持されているパイル部Ｐのうち外周縁部のパイルＰｂが、２点鎖線で示されるように外方に伏倒した場合に、そのパイルＰｂが凹部２８の内側部２８ｂに留まり凹部２８よりも外方へ達しないものとすることができる。内側部が上方に向かって外方に拡開する角度は、例えば２０乃至７０度とすることができる。
この場合、パイル部Ｐの上部が凹部２８の上端よりも上方に位置するにもかかわらずパイルＰｂが凹部２８の外方へはみ出さないので、外観を良好に維持し得ると共にパイルＰｂの傷みを防ぐことができる。
【００３６】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００３７】
【図１】概略平面図である。
【図２】マット本体の要部平面図である。
【図３】図２におけるA−A線断面図である。
【図４】マットの要部平面図である。
【図５】図４におけるB−B線断面図である。
【図６】マット本体の要部端面図である。
【図７】マット本体の要部端面図である。
【図８】マットの要部端面図である。
【符号の説明】
【００３８】
１０    外枠部
１２    嵌合突部
１４    嵌合ループ部
１６    縦格子板部
１８    横格子板部
２０    格子孔
２２    十字部
２２ａ  上向突部
２４    支持部
２６    透過部
２８    凹部
２８ａ  基布支持部
２８ｂ  内側部
Ｍ      マット
Ｎ      マット本体
Ｎａ    非パイル部
Ｐ      パイル部
Ｐａ    基布
Ｐｂ    パイル
【図１】
2008119295.tif 000003
【図２】
2008119295.tif 000004
【図３】
2008119295.tif 000005
【図４】
2008119295.tif 000006
【図５】
2008119295.tif 000007
【図６】
2008119295.tif 000008
【図７】
2008119295.tif 000009
【図８】
2008119295.tif 000010